【手続補正書】
【提出日】平成24年12月17日(2012.12.17)
【手続補正１】
【補正対象書類名】特許請求の範囲
【補正対象項目名】全文
【補正方法】変更
【補正の内容】
【特許請求の範囲】
【請求項１】
フライバックコンバータであって、
第１の巻線、第２の巻線および第３の巻線を含む結合インダクタを備え、前記第１の巻線は入力電圧に結合され、前記第２の巻線はパワーコンバータの出力に結合され、前記フライバックコンバータはさらに、
前記第２の巻線に結合された切換素子と、
前記切換素子および前記第２の巻線に結合された二次制御回路とを備え、前記二次制御回路は、所望の出力値と実際の出力値との差に応答して前記切換素子を切換えて、前記所望の出力値と前記実際の出力値との差を表わす電流が前記第３の巻線に強制的に流入するように結合され、前記フライバックコンバータはさらに、
前記第１の巻線に結合された一次スイッチと、
前記一次スイッチおよび前記第３の巻線に結合された一次制御回路とを備え、前記一次制御回路は、強制的に流入した電流に応答して前記一次スイッチを切換えて前記パワーコンバータの出力を調節するように結合される、フライバックコンバータ。
【請求項２】
フライバックコンバータコントローラであって、
フライバックコンバータの結合インダクタの第２の巻線に結合された切換素子に結合される二次制御回路を備え、前記二次制御回路は、所望の出力値と前記第２の巻線の出力における実際の出力値との差に応答して前記切換素子を切換えて、前記所望の出力値と前記第２の巻線の出力における前記実際の出力値との差を表わす電流が前記結合インダクタの第３の巻線に強制的に流入するように前記第２の巻線の出力の間に結合され、前記フライバックコンバータコントローラはさらに、
前記結合インダクタの第１の巻線に結合された一次スイッチに結合される一次制御回路を備え、前記一次制御回路は、前記二次制御回路によって前記第３の巻線に強制的に流入した前記電流を受けるように結合され、前記一次制御回路は、前記強制的に流入した電流に応答して前記一次スイッチを切換えて前記第２の巻線の出力に結合された前記フライバックコンバータの出力を調節するように結合される、フライバックコンバータコントローラ。
【請求項３】
前記結合インダクタの前記第２の巻線は、前記第１および第３の巻線からガルバニック絶縁される、請求項１に記載のフライバックコンバータまたは請求項２に記載のフライバックコンバータコントローラ。
【請求項４】
前記切換素子は、第１のインピーダンスまたは第２のインピーダンスを有するように切換えられるように結合され、前記第１および第２のインピーダンスは等しくない、請求項１に記載のフライバックコンバータまたは請求項２に記載のフライバックコンバータコントローラ。
【請求項５】
前記第１のインピーダンスは実質的に０であり、前記第２のインピーダンスは実質的に無限大である、請求項４に記載のフライバックコンバータ。
【請求項６】
前記切換素子は単一方向または双方向である、請求項１に記載のフライバックコンバータまたは請求項２に記載のフライバックコンバータコントローラ。
【請求項７】
前記一次制御回路は、前記強制的に流入した電流からエラー信号を抽出するためにシャントレギュレータを備え、前記一次制御回路は、前記エラー信号に応答して前記一次スイッチを切換えるように結合される、請求項１に記載のフライバックコンバータ。
【請求項８】
前記二次制御回路は、分圧器および基準電圧に結合されて前記所望の出力値と前記実際の出力値との差を判断する二次エラー増幅器を備える、請求項１に記載のフライバックコンバータ。
【請求項９】
前記二次制御回路は、分圧器に結合されたシャントレギュレータを備え、前記シャントレギュレータは内部基準電圧を有し、前記シャントレギュレータは、前記所望の出力値と前記実際の出力値との差を判断するように結合される、請求項１に記載のフライバックコンバータ。
【請求項１０】
前記切換素子は、同期整流器を備える、請求項１に記載のフライバックコンバータまたは請求項２に記載のフライバックコンバータコントローラ。
【請求項１１】
前記二次制御回路は、前記切換素子に結合された駆動信号で前記フライバックコンバータの出力電流および出力電圧を制御するように結合される、請求項１に記載のフライバックコンバータまたは請求項２に記載のフライバックコンバータコントローラ。
【請求項１２】
前記二次制御回路は、前記一次スイッチのオフ期間の一部の間に前記切換素子が前記第
２の巻線からの電流を低減させて、前記電流が前記第３の巻線に強制的に流入するように結合される、請求項１に記載のフライバックコンバータまたは請求項２に記載のフライバックコンバータコントローラ。
【請求項１３】
フライバックコンバータの出力を調節する方法であって、
実際の出力値と所望の出力値との差に応答して、パワーコンバータの出力に結合された結合インダクタの第２の巻線に結合された切換素子を切換えるステップと、
前記切換素子の切換に応答して電流が前記結合インダクタの第３の巻線を強制的に流れるようにするステップと、
前記フライバックコンバータの出力を調節するために、強制的に流入した電流に応答して、前記結合インダクタの第１の巻線に結合された一次スイッチを切換えるステップとを備える、方法。
【請求項１４】
前記切換素子の切換は、第１のインピーダンスまたは第２のインピーダンスを有するように前記切換素子を切換えるステップをさらに備え、前記第１および第２のインピーダンスは等しくない、請求項１３に記載の方法。
【請求項１５】
前記切換素子の切換は、前記一次スイッチのオフ期間の一部の間に前記第２の巻線からの電流を低減させて、前記電流が前記第３の巻線を強制的に流れるようにするステップをさらに備える、請求項１３に記載の方法。
【請求項１６】
前記フライバックコンバータの出力を調節するための、前記強制的に流入した電流に応答した、前記結合インダクタの前記第１の巻線に結合された前記一次スイッチの切換は、前記強制的に流入した電流からエラー信号を抽出するステップをさらに備え、前記一次スイッチの切換は前記エラー信号に応答する、請求項１３に記載の方法。
【請求項１７】
前記実際の出力値と前記所望の出力値との差に応答した、前記パワーコンバータの出力に結合された前記結合インダクタの前記第２の巻線に結合された前記切換素子の切換は、前記パワーコンバータの前記実際の出力値と基準電圧との差を比較するステップをさらに備える、請求項１３に記載の方法。
【請求項１８】
前記実際の出力値と前記所望の出力値との差に応答した、前記パワーコンバータの出力に結合された前記結合インダクタの前記第２の巻線に結合された前記切換素子の切換は、前記パワーコンバータの前記実際の出力値とシャントレギュレータの内部基準電圧との差を比較するステップをさらに備える、請求項１３に記載の方法。
【請求項１９】
前記結合インダクタの前記第２の巻線は、前記第１および第３の巻線からガルバニック絶縁される、請求項１３に記載の方法。
【請求項２０】
前記一次制御回路は、前記二次制御回路によって前記第３の巻線に強制的に流入した前記電流を受けて、前記強制的に流入した電流からエラー信号を抽出するように結合されたシャントレギュレータを備え、前記一次制御回路は、前記エラー信号に応答して前記一次スイッチを切換えるように結合される、請求項２に記載のフライバックコンバータコントローラ。
【請求項２１】
前記二次制御回路は、前記第２の巻線の出力の間に結合された分圧器および基準電圧に結合されて前記所望の出力値と前記第２の巻線の出力における前記実際の出力値との差を判断する二次エラー増幅器を備える、請求項２に記載のフライバックコンバータコントローラ。
【請求項２２】
前記二次制御回路は、前記第２の巻線の出力の間に結合された分圧器に結合されたシャントレギュレータを備え、前記シャントレギュレータは内部基準電圧を有し、前記シャントレギュレータは、前記所望の出力値と前記第２の巻線の出力における前記実際の出力値との差を判断するように結合される、請求項２に記載のフライバックコンバータコントローラ。